(57)【特許請求の範囲】
【請求項１】
吸音材と、
前記吸音材まで貫通するグリルが形成されるとともに、前記吸音材から長手方向の両側部側にはみ出した側部領域を有する前面板と、
前記吸音材を挟んで前記前面板に対向するとともに、前記吸音材から長手方向の両側部側にはみ出した側部領域を有する背面板と、
前記前面板と背面板の側部領域間に形成されたワイヤロープ挿通経路と、
を備え、立設されたＨ形支柱のフランジに前記前面板及び背面板の側部領域がガイドされながら落とし込まれる、吸音パネルと、
前記吸音パネルの前面板とこれに対向する前記Ｈ形支柱の前面側フランジとの間に打ち込まれ、前記吸音パネルの背面板に対向する前記Ｈ形支柱の背面側フランジに前記吸音パネルを付勢するとともに、前記吸音パネルの前面板と前記前面側フランジとの間に間隙を形成する、固定金具と、
を備え、
前記吸音パネルの前面板の側部領域には、前記前面側フランジと対向する箇所に、前記ワイヤロープ挿通経路まで貫通された窓孔が形成されていることを特徴とする、吸音パネルユニット。
【請求項２】
請求項１記載の、吸音パネルユニットであって、
前記固定金具及び吸音パネルの一方には、他方に固定するための固定手段が設けられ、前記他方には、前記一方に固定される被固定手段が設けられていることを特徴とする、吸音パネルユニット。
【請求項３】
請求項２記載の、吸音パネルユニットであって、
前記固定金具には、前記打ち込み時に前記吸音パネル側に突出する固定爪が形成され、
前記吸音パネルには、前記固定爪が嵌め込まれる溝が形成されていることを特徴とする、吸音パネルユニット。
【請求項４】
透光板と、
前記透光板の周縁を厚さ方向に挟持することで前記透光板を支持するとともに、前記厚さ方向に対向する前面板及び背面板が側方に延設されることで両者の間にワイヤロープ挿通経路が形成された、支持枠と、
を備え、立設されたＨ形支柱のフランジに前記前面板及び背面板の側方延設部がガイドされながら落とし込まれる、遮音パネルと、
前記遮音パネルの前面板とこれに対向する前記Ｈ形支柱の前面側フランジとの間に打ち込まれ、前記遮音パネルの背面板に対向する前記Ｈ形支柱の背面側フランジに前記遮音パネルを付勢するとともに、前記遮音パネルの前面板と前記前面側フランジとの間に間隙を形成する、固定金具と、
を備え、
前記遮音パネルの前面板の側方延設部には、前記前面側フランジと対向する箇所に、前記ワイヤロープ挿通経路まで貫通された窓孔が形成されていることを特徴とする、遮音パネルユニット。
【請求項５】
吸音材と、
前記吸音材まで貫通するグリルが形成されるとともに、前記吸音材から長手方向の両側部側にはみ出した側部領域を有する前面板と、
前記吸音材を挟んで前記前面板に対向するとともに、前記吸音材から長手方向の両側部側にはみ出した側部領域を有する背面板と、
前記前面板と背面板の側部領域間に形成されたワイヤロープ挿通経路と、
を備え、立設されたＨ形支柱のフランジに前記前面板及び背面板の側部領域がガイドされながら落とし込まれる、吸音パネルであって、
前記吸音パネルの前面板と、これに対向する前記Ｈ形支柱の前面側フランジとの間には、前記吸音パネルの背面板に対向する前記Ｈ形支柱の背面側フランジに前記吸音パネルを付勢するとともに、前記吸音パネルの前面板と前記前面側フランジとの間に間隙を形成する、固定金具が打ち込まれ、
前記吸音パネルの前面板の側部領域には、前記前面側フランジと対向する箇所に、前記ワイヤロープ挿通経路まで貫通された窓孔が形成されていることを特徴とする、吸音パネル。
【請求項６】
吸音材と、
前記吸音材まで貫通するグリルが形成されるとともに、前記吸音材から長手方向の両側部側にはみ出した側部領域を有する前面板と、
前記吸音材を挟んで前記前面板に対向するとともに、前記吸音材から長手方向の両側部側にはみ出した側部領域を有する背面板と、
前記前面板と背面板の側部領域間に形成されたワイヤロープ挿通経路と、
を備え、立設されたＨ形支柱のフランジに前記前面板及び背面板の側部領域がガイドされながら落とし込まれる、吸音パネルであって、
前記吸音パネルの背面板と、これに対向する前記Ｈ形支柱の背面側フランジとの間には、前記吸音パネルの前面板に対向する前記Ｈ形支柱の前面側フランジに前記吸音パネルを付勢するとともに、前記吸音パネルの背面板と前記背面側フランジとの間に間隙を形成する、固定金具が打ち込まれ、
前記吸音パネルの背面板の側部領域には、前記背面側フランジと対向する箇所に、前記ワイヤロープ挿通経路まで貫通された窓孔が形成されていることを特徴とする、吸音パネル。
【請求項７】
透光板と、
前記透光板の周縁を厚さ方向に挟持することで前記透光板を支持するとともに、前記厚さ方向に対向する前面板及び背面板が側方に延設されることで両者の間にワイヤロープ挿通経路が形成された、支持枠と、
を備え、立設されたＨ形支柱のフランジに前記前面板及び背面板の側方延設部がガイドされながら落とし込まれる、遮音パネルであって、
前記遮音パネルの前面板と、これに対向する前記Ｈ形支柱の前面側フランジとの間には、前記遮音パネルの背面板に対向する前記Ｈ形支柱の背面側フランジに前記遮音パネルを付勢するとともに、前記遮音パネルの前面板と前記前面側フランジとの間に間隙を形成する、固定金具が打ち込まれ、
前記遮音パネルの前面板の側方延設部には、前記前面側フランジと対向する箇所に、前記ワイヤロープ挿通経路まで貫通された窓孔が形成されていることを特徴とする、遮音パネル。
【請求項８】
透光板と、
前記透光板の周縁を厚さ方向に挟持することで前記透光板を支持するとともに、前記厚さ方向に対向する前面板及び背面板が側方に延設されることで両者の間にワイヤロープ挿通経路が形成された、支持枠と、
を備え、立設されたＨ形支柱のフランジに前記前面板及び背面板の側方延設部がガイドされながら落とし込まれる、遮音パネルであって、
前記遮音パネルの背面板と、これに対向する前記Ｈ形支柱の背面側フランジとの間には、前記遮音パネルの前面板に対向する前記Ｈ形支柱の前面側フランジに前記遮音パネルを付勢するとともに、前記遮音パネルの背面板と前記背面側フランジとの間に間隙を形成する、固定金具が打ち込まれ、
前記遮音パネルの背面板の側方延設部には、前記背面側フランジと対向する箇所に、前記ワイヤロープ挿通経路まで貫通された窓孔が形成されていることを特徴とする、遮音パネル。
【発明の詳細な説明】
【技術分野】
【０００１】
本発明は、吸音パネルとこれをＨ形支柱に固定する固定金具を備えた、吸音パネルユニット及び単体の吸音パネル、ならびに、遮音パネルとこれをＨ形支柱に固定する固定金具を備えた、遮音パネルユニット及び単体の遮音パネルに関するものである。
【背景技術】
【０００２】
従来から、高速道路、一般道路及び鉄道での車両走行に伴う騒音を防止するため、これらの道路や線路の側壁として防音壁が設けられている。防音壁は、例えば、図８に示すように、Ｈ形支柱１００を間隔を空けて複数立設するとともに、このＨ形支柱１００のフランジ１０２をガイドとして、吸音パネル１０４や遮音パネルを複数落とし込むことによって組み立てられる。
【０００３】
吸音パネルや遮音パネルの、Ｈ形支柱からの脱落を防ぐための手段が従来から知られている。例えば、Ｈ形支柱と吸音パネルとの間に、固定金具を楔のようにして打ち込むことで、吸音パネルをＨ形支柱に固定する。
【０００４】
また、図８に示すように、吸音パネル１０４の両側部にはワイヤロープ１０６を挿通させる挿通経路１０８が設けられている。ワイヤロープ１０６は防音壁の基礎部分に一方の端部が固定されるとともに、積み重ねられた吸音パネル１０４の挿通経路１０８を通り、他方の端部が防音壁の最上部に固定される。
【０００５】
防音壁施工時の、ワイヤロープの挿通状態を確認するために、従来から、吸音パネルの側壁には、挿通経路まで貫通した窓孔が設けられている。例えば特許文献１では、吸音パネル１０４の側面に窓孔１１０を設けて、吸音パネル１０４内のワイヤロープ１０６の挿通状態（ワイヤロープ１０６の有無等）が目視できるようになっている。
【先行技術文献】
【特許文献】
【０００６】
【特許文献１】特開平９−１５１４１９号公報
【発明の概要】
【発明が解決しようとする課題】
【０００７】
ところで、従来の吸音パネルや遮音パネルでは、防音壁施工後、窓孔はＨ形支柱に隠れてしまうため、施工後に外部からワイヤロープの挿通状態を確認することが困難となる。例えば一度完成された防音壁から吸音パネルを引き上げるなど、煩雑な作業が必要となる。そこで本発明は、防音壁施工後においても、ワイヤロープの挿通状態を容易に確認することの可能な、吸音パネルユニットや遮音パネルユニットを提供することを目的とする。
【課題を解決するための手段】
【０００８】
本発明は、吸音パネルユニットに関するものである。当該ユニットは、吸音材と、前記吸音材まで貫通するグリルが形成されるとともに、前記吸音材から長手方向の両側部側にはみ出した側部領域を有する前面板と、前記吸音材を挟んで前記前面板に対向するとともに、前記吸音材から長手方向の両側部側にはみ出した側部領域を有する背面板と、前記前面板と背面板の側部領域間に形成されたワイヤロープ挿通経路と、を備え、立設されたＨ形支柱のフランジに前記前面板及び背面板の側部領域がガイドされながら落とし込まれる、吸音パネルを備える。さらに、前記吸音パネルの前面板とこれに対向する前記Ｈ形支柱の前面側フランジとの間に打ち込まれ、前記吸音パネルの背面板に対向する前記Ｈ形支柱の背面側フランジに前記吸音パネルを付勢するとともに、前記吸音パネルの前面板と前記前面側フランジとの間に間隙を形成する、固定金具を備える。前記吸音パネルの前面板の側部領域には、前記前面側フランジと対向する箇所に、前記ワイヤロープ挿通経路まで貫通された窓孔が形成されている。
【０００９】
また、上記発明において、前記固定金具及び吸音パネルの一方には、他方に固定するための固定手段が設けられ、前記他方には、前記一方に固定される被固定手段が設けられていることが好適である。
【００１０】
また、上記発明において、前記固定金具には、前記打ち込み時に前記吸音パネル側に突出する固定爪が形成され、前記吸音パネルには、前記固定爪が嵌め込まれる溝が形成されていることが好適である。
【００１１】
また、本発明は、遮音パネルユニットに関するものである。当該ユニットは、透光板と、前記透光板の周縁を厚さ方向に挟持することで前記透光板を支持するとともに、前記厚さ方向に対向する前面板及び背面板が側方に延設されることで両者の間にワイヤロープ挿通経路が形成された、支持枠と、を備え、立設されたＨ形支柱のフランジに前記前面板及び背面板の側方延設部がガイドされながら落とし込まれる、遮音パネルを備える。また、上記ユニットは、前記遮音パネルの前面板とこれに対向する前記Ｈ形支柱の前面側フランジとの間に打ち込まれ、前記遮音パネルの背面板に対向する前記Ｈ形支柱の背面側フランジに前記遮音パネルを付勢するとともに、前記遮音パネルの前面板と前記前面側フランジとの間に間隙を形成する、固定金具を備える。前記遮音パネルの前面板の側方延設部には、前記前面側フランジと対向する箇所に、前記ワイヤロープ挿通経路まで貫通された窓孔が形成されている。
【００１２】
また、本発明は、吸音パネルに関するものである。当該パネルは、吸音材と、前記吸音材まで貫通するグリルが形成されるとともに、前記吸音材から長手方向の両側部側にはみ出した側部領域を有する前面板と、前記吸音材を挟んで前記前面板に対向するとともに、前記吸音材から長手方向の両側部側にはみ出した側部領域を有する背面板と、前記前面板と背面板の側部領域間に形成されたワイヤロープ挿通経路と、を備え、立設されたＨ形支柱のフランジに前記前面板及び背面板の側部領域がガイドされながら落とし込まれる。また、前記吸音パネルの前面板と、これに対向する前記Ｈ形支柱の前面側フランジとの間には、前記吸音パネルの背面板に対向する前記Ｈ形支柱の背面側フランジに前記吸音パネルを付勢するとともに、前記吸音パネルの前面板と前記前面側フランジとの間に間隙を形成する、固定金具が打ち込まれ、前記吸音パネルの前面板の側部領域には、前記前面側フランジと対向する箇所に、前記ワイヤロープ挿通経路まで貫通された窓孔が形成されている。
【００１３】
また、本発明に係る吸音パネルの別態様によれば、当該吸音パネルは、吸音材と、前記吸音材まで貫通するグリルが形成されるとともに、前記吸音材から長手方向の両側部側にはみ出した側部領域を有する前面板と、前記吸音材を挟んで前記前面板に対向するとともに、前記吸音材から長手方向の両側部側にはみ出した側部領域を有する背面板と、前記前面板と背面板の側部領域間に形成されたワイヤロープ挿通経路と、を備え、立設されたＨ形支柱のフランジに前記前面板及び背面板の側部領域がガイドされながら落とし込まれる。前記吸音パネルの背面板と、これに対向する前記Ｈ形支柱の背面側フランジとの間には、前記吸音パネルの前面板に対向する前記Ｈ形支柱の前面側フランジに前記吸音パネルを付勢するとともに、前記吸音パネルの背面板と前記背面側フランジとの間に間隙を形成する、固定金具が打ち込まれ、前記吸音パネルの背面板の側部領域には、前記背面側フランジと対向する箇所に、前記ワイヤロープ挿通経路まで貫通された窓孔が形成されている。
【００１４】
また、本発明は、遮音パネルに関するものである。当該パネルは、透光板と、前記透光板の周縁を厚さ方向に挟持することで前記透光板を支持するとともに、前記厚さ方向に対向する前面板及び背面板が側方に延設されることで両者の間にワイヤロープ挿通経路が形成された、支持枠と、を備え、立設されたＨ形支柱のフランジに前記前面板及び背面板の側方延設部がガイドされながら落とし込まれる。前記遮音パネルの前面板と、これに対向する前記Ｈ形支柱の前面側フランジとの間には、前記遮音パネルの背面板に対向する前記Ｈ形支柱の背面側フランジに前記遮音パネルを付勢するとともに、前記遮音パネルの前面板と前記前面側フランジとの間に間隙を形成する、固定金具が打ち込まれ、前記遮音パネルの前面板の側方延設部には、前記前面側フランジと対向する箇所に、前記ワイヤロープ挿通経路まで貫通された窓孔が形成されている。
【００１５】
また、本発明に係る遮音パネルの別態様によれば、当該遮音パネルは、透光板と、前記透光板の周縁を厚さ方向に挟持することで前記透光板を支持するとともに、前記厚さ方向に対向する前面板及び背面板が側方に延設されることで両者の間にワイヤロープ挿通経路が形成された、支持枠と、を備え、立設されたＨ形支柱のフランジに前記前面板及び背面板の側方延設部がガイドされながら落とし込まれる。前記遮音パネルの背面板と、これに対向する前記Ｈ形支柱の背面側フランジとの間には、前記遮音パネルの前面板に対向する前記Ｈ形支柱の前面側フランジに前記遮音パネルを付勢するとともに、前記遮音パネルの背面板と前記背面側フランジとの間に間隙を形成する、固定金具が打ち込まれ、前記遮音パネルの背面板の側方延設部には、前記背面側フランジと対向する箇所に、前記ワイヤロープ挿通経路まで貫通された窓孔が形成されている。
【発明の効果】
【００１６】
本発明によれば、防音壁施工後においても、ワイヤロープの挿通状態を容易に確認することができる。
【図面の簡単な説明】
【００１７】
【図１】本実施形態に係る吸音パネルユニットを例示する斜視図である。
【図２】本実施形態に係る吸音パネルユニットを例示する斜視断面図である。
【図３】本実施形態に係る吸音パネルユニットを例示する斜視図である。
【図４】本実施形態に係る吸音パネルユニットの別例を示す斜視図である。
【図５】本実施形態に係る吸音パネルユニットを用いた防音壁の施工を説明する図である。
【図６】本実施形態に係る吸音パネルユニットの別例を示す斜視図である。
【図７】本実施形態に係る遮音パネルユニットを例示する斜視図である。
【図８】従来技術に係る吸音パネルユニットの施工例を示す斜視図である。
【発明を実施するための形態】
【００１８】
図１に、本実施形態に係る吸音パネルユニット１０を例示する。吸音パネルユニット１０は、吸音パネル１２及び固定金具１４を備える。
【００１９】
吸音パネル１２は、吸音材１５及びハウジング１６を備える。図２に示すように、吸音材１５はハウジング１６内に収容される。吸音材１５は例えば略直方体形状であって、グラスウール等の繊維材料から構成される。また、吸音材１５の、ハウジング前面板１８側の底部には、延設部１７が設けられていてもよい。延設部１７は、前面板１８及び底面板２６に挟まれるとともに、防音壁の組み立て時に鉛直下方向に延設される。延設部１７を介して、吸音材１５に吸収された液体が外部に排出、滴下される。また、延設部１７を前面板１８の長手方向全幅に亘って設けることで、前面板１８と底面板２６とが非接触となり、両者を異種金属で製造した場合における異種金属接触腐食（電食）を防止することができる。
【００２０】
図１に戻り、ハウジング１６は、吸音材１５を収容する筐体である。ハウジング１６は、前面板１８、背面板２０、側面板２２Ａ，２２Ｂ、天面板２４、及び底面板２６を備える。天面板２４は、吸音パネル１２を隙間なく積み重ねることが可能となるように、底面板２６と同一形状となっていてよい。また、天面板２４及び底面板２６の両側部には、後述するワイヤロープを挿通させるための切り欠き２７または挿通口が形成されている。
【００２１】
前面板１８は、防音壁の組み立ての際に、車両等の騒音源に対面するように配置される。前面板１８には吸音材１５まで貫通するグリル２８またはガラリと呼ばれる開口部が形成されている。このグリル２８を介してハウジング１６内の吸音材１５に騒音を吸収させる。また、前面板１８は、吸音材１５から長手方向の両側部にはみ出す、側部領域３０を備えている。つまり、前面板１８の長手方向長さは、吸音材１５よりも長く形成されている。
【００２２】
図３に示すように、前面板１８の側部領域３０には、窓孔４０が形成されている。この窓孔４０は、後述するワイヤロープ挿通経路３６まで貫通されており、この窓孔４０からワイヤロープ挿通経路３６内のワイヤロープの有無等の挿通状態を目視することが可能となる。また、窓孔４０は、後述するＨ形支柱の前面側フランジと対向する箇所に設けられていることが好適である。このようにすることで、正面から防音壁を見たときに、窓孔４０はＨ形支柱のフランジに隠れることになるから、窓孔４０を設けることによる防音壁の景観低下を抑制することが可能となる。また、窓孔４０がフランジに覆われるようになることから、雨等の液体の、ワイヤロープ挿通経路３６内への流入を防ぐことができる。
【００２３】
なお、図３では、窓孔４０は、周囲を板材で囲まれた穴形状であったが、この形状に限らない。例えば、図６に示すように、窓孔４０は、前面板１８の側部領域３０から側端まで打ち抜いた切り欠き形状のものであってもよい。
【００２４】
図３に戻り、背面板２０は、吸音材１５を挟んで前面板１８に対向する。背面板２０も、前面板１８と同様に、吸音材１５から長手方向の両側部側にはみ出す、側部領域３２を備えている。また、背面板２０には、吸音材１５を前面板１８に押さえ付けるための凸部３４を備えていてもよい。
【００２５】
前面板１８の側部領域３０と背面板２０の側部領域３２との間には、ワイヤロープ挿通経路３６が形成される。図３に示すように、ワイヤロープ挿通経路３６は、天面板２４及び底面板２６の切り欠き２７を出入り口として形成されている。
【００２６】
側面板２２Ａ，２２Ｂは、前面板１８と背面板２０とを繋ぐ。例えば、側面板２２Ａ，２２Ｂは、断面凹形状であってよく、ハウジング１６の側面が中央側に窪むように取り付けられてよい。さらに、断面凹形状である側面板２２Ａ，２２Ｂを、ワイヤロープ挿通経路３６の通路壁としてよい。このようにすることで、吸音パネル１２の側面にワイヤロープ挿通経路３６が露出する様になり、防音壁の施工時に、外部からワイヤロープの挿通状況が目視可能となる。
【００２７】
また、側面板２２Ａ，２２Ｂには、ワイヤロープを挿通させるためのアイボルト３８が設けられていてもよい。アイボルト３８はワイヤロープ挿通経路３６上に設けられていればよいが、図４のように、窓孔４０近傍に設けることで、ワイヤロープのアイボルト３８への挿通状態が窓孔４０から目視できるという利点がある。例えば、窓孔４０及びアイボルト３８の両者を、吸音パネル１２の背面板２０の凸部３４よりも底面板２６側または天面板２４側に設けることで、窓孔４０からアイボルト３８の目視が可能となる。
【００２８】
図３に戻り、固定金具１４は、吸音パネル１２をＨ形支柱に固定するための固定手段である。固定金具１４の短手方向の幅Ｗは、Ｈ形支柱のフランジの張り出し幅以下であることが好適である。このようにすることで、フランジ内に固定金具１４が隠れるようになり、防音壁の景観低下を抑制することができる。
【００２９】
固定金具１４は、取り付け部４４とばね板部４６を備える。取り付け部４４は吸音パネル１２に固定金具１４を取り付けるための部材であって、吸音パネル１２に沿った形状となっている。例えば、取り付け部４４は、吸音パネル１２の天面板２４の切り欠き２７から、前面板１８の段差部分４８までの形状と同一形状となるように形成される。
【００３０】
取り付け部４４が天面板２４の切り欠き２７と重なる場合に、ワイヤロープを挿通させるための挿通口５０を設けることが好適である。ワイヤロープを挿通口５０に挿通することで、吸音パネル１２と同様に、固定金具１４のＨ形支柱からの落下を防ぐことができる。
【００３１】
ばね板部４６は、吸音パネル１２とＨ形支柱のフランジとの間に打ち込まれて両者を付勢する付勢手段である。このばね板部４６が、吸音パネル１２の前面板１８と、これに対向するＨ形支柱の前面側フランジ（後述する）との間に打ち込まれることで、吸音パネル１２は、Ｈ形支柱の背面側フランジ（前面側フランジと対向するフランジ）に付勢され、その結果吸音パネル１２がＨ形支柱に固定される。また、ばね板部４６により、吸音パネル１２の前面板１８とＨ形支柱の前面側フランジとの間に間隙が形成される。
【００３２】
また、固定金具１４及び吸音パネル１２の一方に、他方に固定するための固定手段を設け、他方には、一方に固定される被固定手段を設けるようにしてもよい。例えば、固定金具１４に固定爪５２を設けてもよい。固定爪５２は、固定金具１４の打ち込み時に、吸音パネル１２側に突出するように形成されてよい。また、固定爪５２に対応するようにして、吸音パネル１２には、固定爪５２が嵌め込まれる溝５４が形成されていることが好適である。溝５４の形状は、固定爪５２と同一形状であってよい。図３では、固定金具１４の取り付け部４４に固定爪５２を設けるとともに、吸音パネル１２の天面板２４に溝５４を設けている。なお、固定金具１４に溝５４を形成し、吸音パネル１２に固定爪５２を設けるようにしてもよい。
【００３３】
固定手段を設けない場合、防音壁に伝わる振動などにより、固定金具１４が吸音パネル１２の長手方向にスライド移動してＨ形支柱のフランジから外れ、吸音パネル１２の固定が外れるおそれがある。本実施形態のように固定爪５２や溝５４を設けることで、固定金具１４が吸音パネル１２に固定されるので、固定金具１４のＨ形支柱からの離脱を防ぐことが可能となる。
【００３４】
次に、図５を用いて、本実施形態に係る吸音パネルユニット１０を用いた、防音壁の施工について説明する。まず、Ｈ形支柱５６を間隔を空けて複数本立設する。このとき、Ｈ形支柱５６のフランジ５８が略同一平面上に配置されるように、Ｈ形支柱５６を立設する。ここで、Ｈ形支柱５６のフランジ間距離ｄ１が、吸音パネル１２の奥行き幅ｄ２よりも大きくなるような、Ｈ形支柱５６が使用されることが好適である。例えば、後述するように、吸音パネル１２の前面板１８とＨ形支柱５６の前面側フランジ５８Ａとの間隙からワイヤロープ挿通経路３６内を目視可能となるように、フランジ間距離ｄ１と吸音パネル１２の奥行き幅ｄ２との差（ｄ１−ｄ２）は、５ｍｍ以上２０ｍｍであることが好適である。
【００３５】
次に、ワイヤロープ６０の一端を防音壁の基礎部分（図示せず）に固定するとともに、他端を吸音パネル１２のワイヤロープ挿通経路３６及びアイボルト３８、並びに固定金具１４の挿通口５０に挿通させる。
【００３６】
次に、ワイヤロープ６０が挿通された吸音パネル１２をＨ形支柱５６に沿って落とし込む。具体的には、吸音パネル１２の前面板１８の側部領域３０と背面板２０の側部領域３２がＨ形支柱５６のフランジ５８にガイドされるようにして、吸音パネル１２が落とし込まれる。
【００３７】
吸音パネル１２を落とし込んだ後に、固定金具１４を打ち込む。固定金具１４のばね板部４６が、吸音パネル１２の前面板１８と、Ｈ形支柱５６の前面側フランジ５８Ａとの間に打ち込まれることで、吸音パネル１２の前面板１８とＨ形支柱５６の前面側フランジ５８Ａとの間に間隙が形成される。この間隙から、前面板１８に設けられた窓孔４０を介して、ワイヤロープ挿通経路３６内を目視することが可能となる。また、間隙が狭く、ワイヤロープ挿通経路３６内の目視が困難であっても、当該間隙に小型カメラ等を挿入することで、ワイヤロープ挿通経路３６内のワイヤロープ６０の挿通状態を確認することが可能となる。
【００３８】
また、窓孔４０を吸音パネル１２の前面板１８側に設けることで、ワイヤロープ６０の挿通状態の確認が容易となる。防音壁は、高架道路等、高所に設けられる場合があり、背面板２０への目視に高所作業車（リフト車）等の重機が必要となるなど、背面板２０へのアクセスが困難となる場合がある。これに対して本実施形態では、前面板１８側に窓孔４０を設けているので、防音壁が設けられた道路から前面板１８に徒歩にて近づいて目視を行うなど、アクセスの容易な面に窓孔４０を設けている。このように、本実施形態では、ワイヤロープ６０の挿通状態の確認が容易となるように、窓孔４０を設けている。
【００３９】
なお、上述した実施形態では、吸音パネル１２に窓孔４０を設けていたが、この形態に限らない。例えば、図７に示すように、透光型の遮音パネル７０に窓孔４０を設けるようにしてもよい。
【００４０】
同図には、遮音パネル７０及び固定金具１４を備えた、遮音パネルユニット６８が示されている。遮音パネル７０は、透光板７２及び支持枠７４を備える。透光板７２は略矩形の板材であって、例えばアクリル等の樹脂材料やガラス、またはこれらを貼り合わせた板材等から構成される。
【００４１】
支持枠７４は、透光板７２の周縁を厚さ方向に挟持することで透光板７２を支持する。支持枠７４は、額縁形状（ロ字形状）の部材であって、透光板７２の高さ方向に延設する縦枠７６Ａ，７６Ｂと、透光板７２の長手方向に延設する横枠７８Ａ，７８Ｂを備える。縦枠７６Ａ，７６Ｂと横枠７８Ａ，７８Ｂとは、図示しない結合部材によって額縁形状に結合される。
【００４２】
結合の際には、横枠７８Ａ，７８Ｂ及び縦枠７６Ａ，７６Ｂの内面に形成された支持溝７９がそれぞれ整合するように、各枠が結合される。この支持溝７９に透光板７２が挿入されることで、透光板７２が支持される。なお、横枠７８Ａ，７８Ｂや縦枠７６Ａ，７６Ｂに、透光板７２を厚さ方向に付勢する、押枠部材を設けてもよい。
【００４３】
支持枠７４の縦枠７６Ａ，７６Ｂには、側方（遮音パネル７０の長手方向）に延設する側方延設部８０Ａ，８０Ｂが形成されている。側方延設部８０Ａ，８０Ｂは、遮音パネル７０の厚さ方向に対向する、縦枠７６Ａ，７６Ｂの前面板８２Ａ，８２Ｂ及び背面板８４Ａ，８４Ｂが側方に延設されることで形成される。両者の間には、ワイヤロープ挿通経路３６が形成される。なお、図４に示した例と同様に、ワイヤロープ挿通経路３６のアイボルト３８は、窓孔４０近傍に設けられてよい。
【００４４】
また、縦枠７６Ａ，７６Ｂには、固定金具１４の固定爪５２が嵌め込まれる溝５４が形成されていてもよい。
【００４５】
図５等にて説明したように、防音壁（遮音壁）の施工の際に、Ｈ形支柱５６のフランジ５８に側方延設部８０Ａ，８０Ｂがガイドされながら、遮音パネル７０が落とし込まれる。つまり、側方延設部８０Ａ，８０ＢはＨ形支柱５６のフランジ５８と対向する。本実施形態では、側方延設部８０Ａ，８０Ｂが前面側フランジ５８Ａと対向する箇所に、窓孔４０が形成される。窓孔４０は、ワイヤロープ挿通経路３６まで貫通されるようにして形成されている。
【００４６】
なお、図７では、窓孔４０は、周囲を板材で囲まれた穴形状であったが、この形状に限らない。例えば、図６に示したように、窓孔４０は、側方延設部８０Ａ，８０Ｂの側端まで打ち抜いた切り欠き形状のものであってもよい。
【００４７】
防音壁（遮音壁）の施工の際に、遮音パネル７０の支持枠７４の前面板８２Ａ，８２Ｂと、これに対向するＨ形支柱５６の前面側フランジ５８Ａとの間には、固定金具１４が打ち込まれる。固定金具１４の打ち込みにより、遮音パネル７０の支持枠７４の背面板８４Ａ，８４Ｂに対向する、Ｈ形支柱５６の背面側フランジに、遮音パネル７０が付勢される。また、固定金具１４の打ち込みにより、遮音パネル７０の支持枠７４の前面板８２Ａ，８２Ｂと前面側フランジ５８Ａとの間に間隙が形成される。
【００４８】
この間隙から、前面板８２Ａ，８２Ｂに設けられた窓孔４０を介して、ワイヤロープ挿通経路３６内を目視することが可能となる。また、間隙が狭く、ワイヤロープ挿通経路３６内の目視が困難であっても、当該間隙に小型カメラ等を挿入することで、ワイヤロープ挿通経路３６内のワイヤロープ６０の挿通状態を確認することが可能となる。
【００４９】
なお、上述した実施形態では、吸音パネル１２の前面板１８と、Ｈ形支柱５６の前面側フランジ５８Ａとの間に、固定金具１４を打ち込むとともに、前面板１８に窓孔４０を設けていた。または、遮音パネル７０の支持枠７４の前面板８２Ａ，８２Ｂと、これに対向するＨ形支柱５６の前面側フランジ５８Ａとの間に、固定金具１４を打ち込むとともに、前面板８２Ａ，８２Ｂに窓孔４０を設けていた。ただし、これらの形態には限られない。
【００５０】
具体的には、吸音パネル１２及び遮音パネル７０の背面側に間隙を設けるとともに、当該背面側に窓孔４０を設けてもよい。具体的には、吸音パネル１２の背面板２０と、Ｈ形支柱５６の背面側フランジとの間に、固定金具１４を打ち込むとともに、背面板２０の、背面側フランジと対向する箇所（側部領域３２）に、窓孔４０を設ける。または、遮音パネル７０の支持枠７４の背面板８４Ａ，８４Ｂと、これに対向するＨ形支柱５６の背面側フランジとの間に、固定金具１４を打ち込むとともに、背面板８４Ａ，８４Ｂの、背面側フランジと対向する箇所（側方延設部８０Ａ）に、窓孔４０を設ける。
【００５１】
防音壁や遮音壁が地上に設けられる場合には、吸音パネル１２や遮音パネル７０の背面に容易にアクセスできる。吸音パネル１２や遮音パネル７０の背面側に窓孔４０を設けることで、ワイヤロープ６０の挿通状態を容易に確認できる。
【符号の説明】
【００５２】
１０  吸音パネルユニット、１２  吸音パネル、１４  固定金具、１５  吸音材、１８  前面板、２０  背面板、２８  グリル、３０  前面板側部領域、３２  背面板側部領域、３６  ワイヤロープ挿通経路、４０  窓孔、５６  Ｈ形支柱、６０  ワイヤロープ、６８  遮音パネルユニット、７０  遮音パネル、７２  透光板、７４  支持枠、８０  側方延設部。
【図１】
0006027557.tif 000002
【図２】
0006027557.tif 000003
【図３】
0006027557.tif 000004
【図４】
0006027557.tif 000005
【図５】
0006027557.tif 000006
【図６】
0006027557.tif 000007
【図７】
0006027557.tif 000008
【図８】
0006027557.tif 000009